(57)【特許請求の範囲】
【請求項１】
シャフトと、
ホーゼル部、及び前記ホーゼル部とは反対側に形成され当該ホーゼル部の内部空間に連通する開口部を有し、前記内部空間が前記ホーゼル部におけるシャフトの取付孔に開口する、ゴルフクラブヘッドと、
第１の端部及び第２の端部を有する第１アダプタであって、前記第１の端部側に開口し、前記シャフトと固定されるシャフト用凹部を有するとともに、前記第１の端部に連結部を有し、前記第２の端部が前記取付孔から前記ホーゼル部の内部空間に収容される第１アダプタと、
第１の端部及び第２の端部を有し、前記第１アダプタが貫通する貫通孔が形成されるとともに、少なくとも一部が前記取付孔の外部に配置される第２アダプタと、
前記第１アダプタを、前記ホーゼル部の内部空間に着脱自在に固定する固定部材と、
を備え、
前記シャフトは、前記第１アダプタの連結部に対して傾斜して連結されるように構成され、
前記第１アダプタは、前記第２アダプタに対して傾斜して連結されるように構成され、
前記第１アダプタの連結部と、前記第２アダプタの前記第１の端部とは、軸線回りに回転可能に連結され、
前記第１アダプタは、前記第２アダプタに対する回転位置を任意に変更可能に形成されており、
前記第１アダプタは、前記ホーゼル部の内部空間に回転不能に固定されており、
前記ホーゼル部における前記内部空間の内壁面は、前記第１アダプタがいずれの回転位置で前記第２アダプタに固定されても、前記内部空間の前記内壁面と干渉しないように、上方から下方にいくにしたがって、径が若干広がるようなテーパ状に形成されている、ゴルフクラブ。
【請求項２】
シャフトと、
ホーゼル部、及び前記ホーゼル部とは反対側に形成され当該ホーゼル部の内部空間に連通する開口部を有し、前記内部空間が前記ホーゼル部におけるシャフトの取付孔に開口する、ゴルフクラブヘッドと、
第１の端部及び第２の端部を有する第１アダプタであって、前記第１の端部側に開口し、前記シャフトと固定されるシャフト用凹部を有するとともに、前記第１の端部に連結部を有し、前記第２の端部が前記取付孔から前記ホーゼル部の内部空間に収容される第１アダプタと、
第１の端部及び第２の端部を有し、前記第１アダプタが貫通する貫通孔が形成されるとともに、少なくとも一部が前記取付孔の外部に配置される第２アダプタと、
前記第１アダプタを、前記ホーゼル部の内部空間に着脱自在に固定する固定部材と、
を備え、
前記シャフトは、前記第１アダプタの連結部に対して傾斜して連結されるように構成され、
前記第１アダプタは、前記第２アダプタに対して傾斜して連結されるように構成され、
前記第１アダプタの連結部と、前記第２アダプタの前記第１の端部とは、軸線回りに回転可能に連結され、
前記第１アダプタは、前記第２アダプタに対する回転位置を任意に変更可能に形成されており、
前記第１アダプタは、前記ホーゼル部の内部空間に回転不能に固定されており、
前記第１アダプタは、第１の軸線の両端部に前記第１の端部及び前記第２の端部を有し、当該第１の軸線に沿って筒状に形成され、前記シャフト用凹部は、前記第１の軸線と交差する第２の軸線に沿って延びており、
前記第２アダプタは、第１の軸線の両端部に前記第１の端部及び前記第２の端部を有し、当該第１の軸線に沿って筒状に形成され、前記貫通孔は、前記第１の軸線と交差する第２の軸線に沿って形成されている、ゴルフクラブ。
【請求項３】
前記第２アダプタは、リング状に形成されており、前記取付孔に沿って、少なくとも一部が外部に露出するように配置されている、請求項１又は２に記載のゴルフクラブ。
【請求項４】
前記第１アダプタの連結部は、径方向外方に突出するフランジ部により形成されており、
前記フランジ部が、前記第２アダプタの前記第１の端部に連結している、請求項１から３のいずれかに記載のゴルフクラブ。
【請求項５】
前記ホーゼル部の内部空間に、前記第１アダプタを回転不能に連結する固定用アダプタをさらに備えている、請求項１から４のいずれかに記載のゴルフクラブ。
【請求項６】
前記固定用アダプタと、前記第１アダプタとはスプライン結合されている、請求項５に記載のゴルフクラブ。
【請求項７】
前記第１アダプタ、前記第２アダプタ、及び前記取付孔の少なくとも２つには、回転位置を示す表示が施されている、請求項１から６のいずれかに記載のゴルフクラブ。
【発明の詳細な説明】
【技術分野】
【０００１】
本発明は、ゴルフクラブに関する。
【背景技術】
【０００２】
近年、ゴルフクラブヘッドとシャフトとの種々の連結方法が提案されている。例えば、特許文献１には、ゴルフクラブヘッドのホーゼル部と、シャフトとの間に２つのアダプタを取付けることで、ゴルフクラブヘッドに対するシャフトの取付け角度を変更できるようにしたゴルフクラブが開示されている。具体的には、次のように構成されている。まず、シャフトに取付けられるシャフトアダプタは、シャフトに対して傾斜した状態で固定されている。一方、ホーゼル部に取付けられるヘッドアダプタは、ヘッドに対して複数の回転位置で着脱自在に取付けられるようになっている。そして、シャフトアダプタは、ヘッドアダプタに対して傾斜した角度で嵌め込まれるようになっており、さらに複数の回転位置で嵌め込むことができるようになっている。したがって、ホーゼル部に対するヘッドアダプタの回転位置、及びヘッドアダプタに対するシャフトアダプタの回転位置の２つを調整することで、シャフトは、ゴルフクラブヘッドに対して種々の角度で取付けることができる。そして、このようにすることで、ゴルフクラブのライ角、ロフト角、及びフェース角をユーザの好みに合わせて調整することができるようになっている。
【先行技術文献】
【特許文献】
【０００３】
【特許文献１】特表２０１３−５０００５９号公報
【発明の概要】
【発明が解決しようとする課題】
【０００４】
しかしながら、上記のようなゴルフクラブでは、シャフトアダプタがホーゼル部の内部空間に収容されているため、外部からはヘッドアダプタがホーゼル部に対してどのような回転位置で取付けられているかを視認できなかった。そのため、ユーザが、ヘッドアダプタの回転位置を確認するためには、両アダプタを取り外して分解するしかなく、作業が煩雑になるという問題があった。【０００５】
本発明は、上記問題を解決するためになされたものであり、シャフトとゴルフクラブヘッドとの連結構造を分解することなく、アダプタの回転位置を視認することができるゴルフクラブを提供することを目的とする。
【課題を解決するための手段】
【０００６】
本発明に係るゴルフクラブは、シャフトと、ホーゼル部、及び前記ホーゼル部とは反対側に形成され当該ホーゼル部の内部空間に連通する開口部を有し、前記内部空間が前記ホーゼル部におけるシャフトの取付孔に開口する、ゴルフクラブヘッドと、第１の端部及び第２の端部を有する第１アダプタであって、前記第１の端部側に開口し、前記シャフトと固定されるシャフト用凹部を有するとともに、前記第１の端部に連結部を有し、前記第２の端部が前記取付孔から前記ホーゼル部の内部空間に収容される第１アダプタと、第１の端部及び第２の端部を有し、前記第１アダプタが貫通する貫通孔が形成されるとともに、少なくとも一部が前記取付孔の外部に配置される第２アダプタと、前記第１アダプタを、前記ホーゼル部の内部空間に着脱自在に固定する固定部材と、を備え、前記シャフトは、前記第１アダプタの連結部に対して傾斜して連結されるように構成され、前記第１アダプタは、前記第２アダプタに対して傾斜して連結されるように構成され、前記第１アダプタの連結部と、前記第２アダプタの前記第１の端部とは、軸線回りに回転可能に連結され、前記第１アダプタは、前記ホーゼル部の内部空間に回転不能に固定されている。【０００７】
なお、本明細書では、アダプタ間の関係、アダプタとホーゼルとの関係について「連結」と言う文言を使用しているが、連結という文言の意図としては、少なくとも両者が動かないように接していればよく、両者が外力を加えても分離しないことまでは要求されない場合がある。したがって、「連結」という文言のほか、「係合」という文言でこの状態を表すこともある。【０００８】
上記ゴルフクラブにおいて、前記第１アダプタは、第１の軸線の両端部に前記第１の端部及び前記第２の端部を有し、当該第１の軸線に沿って筒状に形成され、前記シャフト用凹部は、前記第１の軸線と交差する第２の軸線に沿って延びており、前記第２アダプタは、第１の軸線の両端部に前記第１の端部及び前記第２の端部を有し、当該第１の軸線に沿って筒状に形成され、前記貫通孔は、前記第１の軸線と交差する第２の軸線に沿って形成することができる。【０００９】
上記ゴルフクラブにおいて、前記第２アダプタは、リング状に形成されており、前記取付孔に沿って、少なくとも一部が外部に露出するように配置することができる。【００１０】
上記ゴルフクラブにおいて、前記第１アダプタの連結部は、径方向外方に突出するフランジ部により形成されており、前記フランジ部が、前記第２アダプタの前記第１の端部に連結させることができる。【００１１】
上記ゴルフクラブにおいて、前記ホーゼル部の内部空間に、前記第１アダプタを回転不能に連結する固定用アダプタをさらに設けることができる。【００１２】
上記ゴルフクラブにおいて、前記固定用アダプタと、前記第１アダプタとはスプライン結合することができる。【００１３】
上記ゴルフクラブにおいて、前記第１アダプタ、前記第２アダプタ、及び前記取付孔の少なくとも２つには、回転位置を示す表示が施すことかできる。
【発明の効果】
【００１４】
本発明に係るゴルフクラブによれば、前記第１アダプタの連結部、及び前記第２アダプタの第１端部が、前記ホーゼル部の取付孔の外部で連結しているため、両アダプタの連結状態が、外部から視認可能となっている。そのため、シャフトとゴルフクラブヘッドとの連結構造を分解することなく、アダプタの回転位置を視認することができ、その結果、連結状態からゴルフクラブのライ角、ロフト角、及びフェース角などを確認することができる。
【図面の簡単な説明】
【００１５】
【図１】本発明の一実施形態に係るゴルフクラブの斜視図である。
【図２】図１の平面図である。
【図３】連結構造の分解図である。
【図４】両アダプタ、ワッシャ、及び固定具が装着されたゴルフクラブヘッドをヒール側から見た正面図である。
【図５】図４のＡ−Ａ線断面図である。
【図６】図４のゴルフクラブヘッドをソール部側から見た底面図である。
【図７】ホーゼル部の内部空間を示す断面図である。
【図８Ａ】第１アダプタの側面図である。
【図８Ｂ】第１アダプタの断面図である。
【図９Ａ】第２アダプタの上から見た斜視図である。
【図９Ｂ】第２アダプタの断面図である。
【図１０】ゴルフクラブヘッドの他の例を示す断面図である。
【図１１】第１アダプタの他の例を示す側面図である。
【図１２】固定用アダプタの斜視図及び断面図である。
【図１３Ａ】図４のゴルフクラブヘッドの他の例を示す正面図である。
【図１３Ｂ】図１３ＡのＢ-Ｂ線断面図である。
【図１４】第１アダプタの他の例を示す側面図である。
【図１５】第２アダプタと取付孔の他の例を示す断面図である。
【発明を実施するための形態】
【００１６】
以下、本発明に係るゴルフクラブの一実施形態について、図面を参照しつつ説明する。図１は本実施形態に係るゴルフクラブヘッドの斜視図、図２は図１の平面図である。以下の説明では、図面内の向きを基準として説明を行うことがあるが、説明の便宜上のためであり、この向きは発明を限定するものでない。また、以下の説明で軸方向とは、特に断りのない限りは、概ねシャフトの延びる方向であるが、厳密なものではない。
【００１７】
＜１．ゴルフクラブの全体構造＞
図１及び図２に示すように、本実施形態に係るゴルフクラブは、シャフト２０と、その端部に連結されたゴルフクラブヘッド１０（以下、単に「ヘッド」ということがある）とを備えている。また、シャフト２０とゴルフクラブヘッド１０とは、後述する連結構造により連結されており、ヘッド１０に対するシャフト２０の軸回りの回転位置を変更できるように構成されている。以下、各部材について詳細に説明する。
【００１８】
シャフト２０は、中空の管状に形成されており、下方の端部には上述したゴルフクラブヘッド１０が連結され、上方の端部には、図示を省略するグリップが固定されている。
【００１９】
ゴルフクラブヘッド１０は、中空構造であり、フェース部１、クラウン部２、ソール部３、サイド部４、及びホーゼル部５によって壁面が形成されている。フェース部１は、ボールを打球する面であるフェース面を有しており、クラウン部２はフェース部１と隣接し、ヘッドの上面を構成する。ソール部３は、ヘッド１０の底面を構成し、フェース部１及びサイド部４と隣接する。また、サイド部４は、クラウン部２とソール部３との間の部位であり、フェース部１のトウ側からヘッド１０のバック側を通りフェース部１のヒール側へと延びる部位である。さらに、ホーゼル部５は、クラウン部２のヒール側に隣接して設けられる円筒状の部位であり、後述する第１アダプタ６が挿入される取付孔５１を有している。なお、ここで説明するヘッド１０は、ドライバー（＃１）又はフェアウェイウッドといったウッド型であるが、そのタイプは限定されず、いわゆるユーティリティ型及びハイブリッド型等であってもよい。
【００２０】
＜２．シャフトとゴルフクラブヘッドとの連結構造＞
次に、シャフト２０とゴルフクラブヘッド１０との連結構造について説明する。図３は、連結構造の分解図である。同図に示すように、この連結構造において、シャフト２０とゴルフクラブヘッド１０とは、第１アダプタ６及び第２アダプタ７を介して連結されており、これら両アダプタ６，７は、ワッシャ８及び固定具９によって、ゴルフクラブヘッド１０に固定されている。以下、この連結構造について詳述する。
【００２１】
＜２．１  ゴルフクラブヘッドの連結に係る構造＞
まず、ゴルフクラブヘッド１０の構造について、図４から図６も参照しつつ説明する。図４は、両アダプタ部６、７、ワッシャ８、及び固定具９が装着されたゴルフクラブヘッド１０をヒール側から見た正面図、図５は図４のＡ−Ａ線断面図、図６は図４のゴルフクラブヘッドをソール部側から見た底面図、図７はホーゼル部の内部空間を示す断面図である。
【００２２】
図４から図６に示すように、ホーゼル部５の内部空間は、概ねシャフト２０の軸方向Ｓと平行に、取付孔５１からサイド部４側及びソール部３側まで貫通している。取付孔５１の外周縁には、後述するように、第２アダプタ７との位置合わせ用の回転位置表示が５２が付されている。一方、ソール部３において、ホーゼル部５と反対側の部位には、凹部３１が形成されている。この凹部３１は、内部空間とほぼ平行に延びる円弧状の側面３１１と、この側面３１１から概ね垂直に延びる基面３１２とで構成されている。そして、この基面３１２に、内部空間と通じる下部開口３１３が形成されている。
【００２３】
図７に示すように、ホーゼル部５の内部空間５０は、円筒状に形成されており、上部がシャフト２０の取付孔５１を構成するとともに、下部が上述した下部開口３１３を構成している。そして、内部空間５０の内壁面は、上方から下方にいくにしたがって、径が若干広がるようなテーパ状に形成されている。下部開口３１３の内壁面には、径方向内方に突出する環状の突出部５３が形成されており、この突出部５３に後述する固定具９が取り付けられるようになっている。組立て時においては、取付孔５１側に第２アダプタ７が取り付けられた後、この第２アダプタ７を貫通するように、第１アダプタ６が挿入される。そして、内部空間５０において、第１アダプタ６を、上述した突出部５３に固定するため、ワッシャ８及びネジ状の固定具９が用いられる。図３に示すように、固定具９は、頭部９１とこれに連結されるネジ部９２とで形成されており、頭部９１には、レンチが挿入される矩形状の凹部９１１（図５、図６参照）が形成されている。
【００２４】
＜２．２  第１アダプタ＞
次に、第１アダプタ６について、図８を参照しつつ説明する。図８Ａは第１アダプタの側面図、図８Ｂは図８Ａの断面図である。同図に示すように、第１アダプタ６は、筒状に形成された本体部６１を備えており、本体部６１の上端部には、径方向外方に突出するフランジ部６１２が形成されるとともに、本体部６１の下端部には、本体部６１よりも小径の筒状の連結部６２が形成されている。そして、これらは、一体的に形成されている。本体部６１は第１軸線Ｘ１を軸心とし、この第１軸線Ｘ１に沿って円筒状に延びるような外形を有するとともに、上端側に開口するシャフト用凹部６１１を有している。そして、このシャフト用凹部６１１は、第１軸線Ｘ１と約１度の角度で交差する第２軸線Ｘ２に沿って延びる円筒状の内壁面を有しており、このシャフト用凹部６１１にシャフト２０の下端部が挿入される。シャフト２０は、接着などでこのシャフト用凹部６１１に固定される。これにより、シャフト２０の軸心Ｓ（図１参照）は、第１アダプタ６の第２軸線Ｘ２に沿って延び、第１アダプタ６から傾斜して延びるように固定される。
【００２５】
第１アダプタ６の本体部６１の外径は、ホーゼル部５の取付孔５１よりも小径であるが、上述したフランジ部６１２は、これより大きく、且つ後述する第２アダプタ７の上面に接触するようになっている。したがって、第１アダプタ６は、フランジ部６１２が取付孔５１より外部に配置され、フランジ部６１２よりも下方の部分がホーゼル部５の内部空間５０に配置される。また、例えば、図８Ａに例示するように、フランジ部６１２の外周面には、複数の回転位置表示６５が施されており、これら回転位置表示６５のいずれかを、第２アダプタ７に付された基準表示７５と合わせるように位置決めすることで、後述するように、ユーザの好みに応じた角度にすることができる。
【００２６】
第１アダプタ６の連結部６２は、第１軸線Ｘ１に沿って延びる筒状に形成されるとともに、下方に開口するネジ穴６２１を有しており、このネジ穴６２１には雌ネジが形成されている。なお、図８における第１アダプタ６の上端部が本発明の第１の端部に相当し、第１アダプタ６の下端部が本発明の第２の端部に相当する。
【００２７】
＜２．３  第２アダプタ＞
次に、第２アダプタ７について、図９を参照しつつ説明する。図９Ａは第２アダプタを上方から見た斜視図、図９Ｂは第２アダプタの断面図である。これらの図に示すように、第２アダプタ７は、貫通孔７１を有するリング状に形成されており、ホーゼル部５の取付孔５１の上部に取付けられる。また、第２アダプタ７は、ホーゼル部５の取付孔５１、及び第１アダプタ６のフランジ部６１２とほぼ同径に形成されている。なお、図９Ｂにおける第２アダプタ７の上端部が本発明の第１の端部に相当し、第２アダプタ７の下端部が本発明の第２の端部に相当する。
【００２８】
第２アダプタは、第１軸線Ｙ１を軸心とし、この第１軸線Ｙ１に沿って円筒状に延びる外形を有している。そして、第２アダプタ７の貫通孔７１は、第１軸線Ｙ１と約１度の角度で交差する第２軸線Ｙ２に沿って延びる円筒状の内壁面を有しており、この貫通孔７１に第１アダプタ６が着脱自在に挿入される。この貫通孔７１の内径は、第１アダプタ６の本体部６１の外径とほぼ同じである。そして、挿入された第１アダプタ６のフランジ部６１２は、上述したように、第２アダプタ７の上面に接触する。すなわち、第１アダプタ６と第２アダプタ７とは回転可能な状態で連結される。したがって、第１アダプタ６は、第２アダプタ７に対する回転位置を任意に変更することができる。なお、フランジ部６１２の下面と第２アダプタ７の上面とは、互いに完全に面接触しないように構成されていることが好ましい。両面が面接触の態様でしっかりと接触する場合には、両アダプタの相対回転に両面が一定以上歪むことが要求され得、両アダプタの相対回転が若干妨げられることがあるからである。こうして、挿入された第１アダプタ６は、第２アダプタ７の第２軸線Ｙ２に沿って延びるため、第２アダプタ７から傾斜して延びるように固定される。また、第１アダプタ６の第２軸線Ｘ２と第２アダプタ７の第２軸線Ｙ２とは、平行ではなく、両アダプタ６，７が連結されたときに交差するように構成されている。
【００２９】
第２アダプタ７の外周面には、基準表示７５が施されており、上述した第１アダプタ６の回転位置表示６５との位置決めに用いられる。また、上述したように、ホーゼル部５の取付孔５１に付された回転位置表示５２との位置合わせにも用いられる。
【００３０】
なお、上記連結構造で用いる各アダプタ６，７は、種々の材料で形成できるが、例えば、Ti（6-4Ti）、Al（Al7075）などで形成することができる。
【００３１】
＜３．シャフトとゴルフクラブヘッドとの組立て＞
次に、上記のように構成されたゴルフクラブの組立て方法について説明する。まず、ホーゼル部５の取付孔５１に、第２アダプタ７を取付ける。このとき、第２アダプタ７の回転位置を適宜決定し、所望の回転位置で、取付孔５１に配置する。続いて、シャフト２０が固定された第１アダプタ６を、第２アダプタ７の貫通孔７１に挿入する。このとき、第１アダプタ６の回転位置表示６５のいずれかを、第２アダプタ７の基準表示７５に位置決めする。なお、第２アダプタ７に第１アダプタ６を挿入し、両アダプタ６、７の位置合わせをした後、第１アダプタ６の本体部６１を、取付孔５１に挿入することもできる。
【００３２】
そして、図５に示すように、第１アダプタ６のフランジ部６１２よりも下方の部分は、内部空間５０に挿入され、第１アダプタ６の下端部に設けられた連結部６２が内部空間５０に固定される。具体的には、ワッシャ８を内部空間５０の突出部５３に下側から配置した後、固定具９のネジ部９２を下側から、第１アダプタ６の連結部６２にネジ留めする。このとき、固定具９の頭部９１が突出部５３に係合するため、固定具９は、内部空間５０に保持される。そして、この固定具９が第１アダプタ６にネジ留めされるため、第１アダプタ６は、内部空間５０において、軸方向の位置が固定される。こうして、シャフト２０とヘッド１０とは、図１、図２、図４及び図５に示すように連結される。このとき、固定具９を強固にネジ留めすることで、第１アダプタ６は、回転しないようにホーゼル部５内に固定される。これにより、第１アダプタ６のフランジ部６１２が、第２アダプタ７を取付孔５１に向けて押圧するため、第２アダプタ７は、フランジ部６１２と取付孔５１との間に挟まれ、回転しないように保持される。
【００３３】
以上のようにシャフト２０とヘッド１０とを固定したとき、シャフト２０は、第１アダプタ６に対して１度傾斜した状態で固定される。また、第１アダプタ６は、第２アダプタ７に対して１度傾斜した状態で固定される。したがって、シャフト２０は、第２アダプタ７に対して、最大２度傾斜した状態で固定されることになる。このように、第１アダプタ６は、第２アダプタ７やホーゼル部５の取付孔５１に対して、いずれかの回転位置で傾斜して固定されるが、第１アダプタ６が収容される内部空間はテーパ状に形成されているため、第１アダプタ６がいずれの回転位置で第２アダプタ７に固定されても、第１アダプタ６が内部空間の内壁面と干渉しないようになっている。
【００３４】
ここで、第２アダプタ７の取付孔５１に対する回転位置を固定したまま、第２アダプタ７に対する第１アダプタ６の回転位置を変更すると、ヘッド１０に対するシャフト２０の取付角度が変更されるため、ライ角、ロフト角、及びフェース角を変更することができる。そして、第２アダプタ７の取付孔５１に対する回転角度を変更すると、さらに細かくライ角、ロフト角、フェース角を変更することができる。
【００３５】
このとき、第１アダプタ６のフランジ部６１２、及び第２アダプタ７は外部に露出しているため、第１アダプタ６の回転位置表示６５、第２アダプタ７の基準表示７５、ホーゼル部５の回転位置表示５２は外部から視認可能である。したがって、ユーザは、第１アダプタ６及び第２アダプタ７の回転位置を容易に視認することができる。そのため、ユーザは、連結構造を分解することなく、第１アダプタ６の回転位置及び第２アダプタ７の回転位置を確認することができ、これによって、このゴルフクラブのライ角、ロフト角、及びフェース角を確認することができる。
【００３６】
＜４．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００３７】
＜４．１＞
上記実施形態では、ホーゼル部５の突出部５３に係合した固定具９により、第１アダプタ６をホーゼル部５の内部空間５０に固定した。すなわち、固定具９を強固にネジ留めすることにより、第１アダプタ６を内部空間５０で回転しないようにした。したがって、第１アダプタ６は第２アダプタ７に対して無段階で回転位置を変更できるようになっていた。本発明においては、第１アダプタ６がホーゼル部５の内部空間５０で回転不能に固定されていれば、その構成は特には限定されないが、例えば、図１０〜図１２に示すような機構で第１アダプタ６を内部空間５０に固定することができる。
【００３８】
図１０に示すように、この例では、ホーゼル部５の内部空間５０に固定用アダプタ８０を溶接などで回転不能に取付け、これに対して第１アダプタ６を固定している。そのため、図１１に示すように、第１アダプタ６の連結部６２には、第１軸線Ｘ１に沿って延びる複数の突条６２２が形成されている。一方、図１２に示すように、固定用アダプタ８０は、円柱状の小径部８０１と大径部８０２とが一体的に連結された構造を有している。小径部８０１には円形の貫通孔８１１が形成され、この貫通孔８１１の内壁面に、突条を受けるための複数の溝が形成されている。また、大径部８０２にも貫通孔８１２が形成されており、小径部８０１の貫通孔８１１と連通している。大径部８０２の貫通孔８１２は、小径部８０１の貫通孔８１１より大径であり、両貫通孔８１１，８１２の段差において、上述したワッシャ８が配置される。また、固定用アダプタ８０の小径部８０１の貫通孔８１１は、第１アダプタ６の傾斜を受け入れるように、傾斜している。
【００３９】
図１０に示すように、第１アダプタ６の連結部６２は、固定用アダプタ８０の小径部８０１の貫通孔８１１に挿入され、両者がスプライン結合される。すなわち、第１アダプタ６は、所定の回転角度で固定用アダプタ８０に挿入される。そして、固定用アダプタ８０の大径部８０２の貫通孔８１２に挿入された固定具９を第１アダプタ６の連結部６２にネジ留めすると、第１アダプタ６は内部空間５０で固定される。
【００４０】
このように構成すると、第１アダプタ６は予め決められた複数の回転角度で内部空間５０に固定される。また、第１アダプタ６の連結部６２と固定用アダプタ８０の貫通孔８１１とはスプライン結合されるため、第１アダプタ６は回転不能に内部空間５０で固定される。なお、この例では、固定用アダプタ８０をホーゼル部５とは別体にして内部空間５０に溶接などで回転不能に固定しているが、一体的に形成してもよい。その他、第１アダプタ６を回転不能に内部空間５０に固定する構成であれば、特には限定されない。
【００４１】
＜４．２＞
上記実施形態では、第２アダプタ７を取付孔５１に対して、回転可能としているが、例えば、第２アダプタ７と取付孔５１とを回転不能に連結してもよい。この場合、第２アダプタ７に凸部を設け、取付孔５１に凸部を受ける凹部を設ける。あるいは、これとは反対に、第２アダプタ７に凹部を設け、取付孔５１に凸部を設けてもよい。
【００４２】
＜４．３＞
上記実施形態では、シャフト２０を第１アダプタ６に対して１度傾斜させ、さらに第１アダプタ６を第２アダプタ７に対して１度傾斜させているが、この角度は特には限定されない。また、２つの角度を異なるものとしてもよい。
【００４３】
＜４．４＞
上記実施形態では、ゴルフクラブヘッド１０の表面に形成された凹部３１を介して、内部空間に通じる下部開口３１３を臨むようにしているが、この凹部３１を塞ぐキャップを設けてもよい。例えば、図１３Ａ及び図１３Ｂに示すように、このキャップ８５は、凹部３１の側面３１１に沿う側壁面８５１と、ゴルフクラブヘッド１０の外周面に沿う外壁面８５２と、凹部３１の基面３１２と対向する端面８５３とで囲まれた形状を有している。側壁面８５１の軸方向の長さは、凹部３１の側面３１１よりも短く、これによって、凹部３１の基面３１２と端面８５３との間には隙間が形成される。また、外壁面８５２と端面８５３との間には、軸方向に延びる貫通孔８５４が形成されており、この貫通孔５４を介して、キャップ８５の外部からレンチなどの工具を挿入することができる。そして、この工具を固定具９の頭部９１に係合させ、固定具９をキャップ８５を閉じたまま取り外すことができる。この構成により、キャップ８５で凹部３１が塞がれるため、ヘッド１０のデザイン性が向上し、また、固定具９を取り外す際に紛失を防止することができる。
【００４４】
＜４．５＞
また、第１アダプタ６、第２アダプタ７、取付孔５１における回転位置表示５２、６５、基準表示７５は、線で示されているが、これ以外にも図形、数字などで表示することもできるし、あるいは、各アダプタ６，７の一部を加工することもできる。例えば、アダプタの一部を切り欠いたり、または突部を設けるなどすることもできる。また、回転位置表示、基準位置は特には区別されるものではなく、回転位置の位置合わせができれば、特には限定されない。すなわち、何らかの表示がなされていればよく、第１アダプタ６に基準位置を設けることもできる。
【００４５】
＜４．６＞
上記実施形態では、ホーゼル部５の内部空間５０をヘッド１０の一部として成形しているが、例えば、図７に示すような、ホーゼル部５を、別体としてゴルフクラブヘッドに取付けられることで構成してもよい。
【００４６】
＜４．７＞
上記実施形態では、第１アダプタ６の外周面を第１軸線Ｘ１と平行に形成し、シャフト用凹部６１１を第１軸線Ｘ１と交差する第２軸線Ｘ２に沿って形成しているが、例えば、第１アダプタ６を図１４に示すように形成することもできる。同図に示すように、この例では、第１アダプタ６の本体部６１を連結部６２に対して傾斜させている。すなわち、連結部６２を第１軸線Ｘ１に沿うように形成し、本体部６１の外周面を第２軸線Ｘ２に沿って形成している。また、本体部６１に形成されるシャフト用凹部６１１も第２軸線Ｘ２に沿って延びるように形成している。このように構成しても、シャフト２０の軸線は第２軸線Ｘ２に沿うため、シャフト２０を第１アダプタ６に対して傾斜して固定することができる。なお、フランジ部６１２全体が、第２アダプタ７に対して接するようにするため、フランジ部６１２は、本体部６１に対して傾斜した状態で形成されている。
【００４７】
＜４．８＞
また、図１５に示すように、第２アダプタ７の下端部は、下方に突出する球面状に形成することもできる。この場合、ホーゼル部５の取付孔５１の周縁は、第２アダプタ７に適合するように、球面状の凹部とすることができる。これにより、第２アダプタ７は、取付孔５１に対して角度を変更できるように接触する。
【００４８】
＜４．９＞
上記のように構成されたゴルフクラブヘッドは、中空構造であるため、２以上の部材を接合することにより製造される。すなわち、中空部に通じる１または２以上の開口が形成されたヘッド本体と、開口を塞ぐ別部材とを接合することで製造される。例えば、クラウン部２やフェース部１のみを別部材で構成して、これをヘッド本体と組み合わせたり、あるいはソール部３やサイド部４に開口を設けたヘッド本体を形成し、この開口を別部材で塞ぐことでヘッドを構成することもできる。そして、このようなヘッド本体は、例えば、公知のロストワックス精密鋳造法などの鋳造によって製造することができる。
【符号の説明】
【００４９】
１０  ゴルフクラブヘッド
２０  シャフト
３１  下部開口
５  ホーゼル部
５１  取付孔
６  第１アダプタ
６１２  フランジ部
７  第２アダプタ
８  ワッシャ(固定部材)
９  固定具（固定部材）
【図１】
0006527082.tif 000002
【図２】
0006527082.tif 000003
【図３】
0006527082.tif 000004
【図４】
0006527082.tif 000005
【図５】
0006527082.tif 000006
【図６】
0006527082.tif 000007
【図７】
0006527082.tif 000008
【図８Ａ】
0006527082.tif 000009
【図８Ｂ】
0006527082.tif 000010
【図９Ａ】
0006527082.tif 000011
【図９Ｂ】
0006527082.tif 000012
【図１０】
0006527082.tif 000013
【図１１】
0006527082.tif 000014
【図１２】
0006527082.tif 000015
【図１３Ａ】
0006527082.tif 000016
【図１３Ｂ】
0006527082.tif 000017
【図１４】
0006527082.tif 000018
【図１５】
0006527082.tif 000019